(57)【特許請求の範囲】
【請求項１】
左右方向に延設された台座部と、前記台座部の上面に取り付けられた左右方向に転動するローラーと、前記ローラーに載置されて左右方向に移動する商品陳列用の複数のプレートとを備え、前記プレートの裏面に、前記プレートの前記ローラーに対する前後方向の移動を規制するためのガイド部を設けた商品陳列台であって、
前記ガイド部は、前記プレートの裏面の左右方向に設けられた２本の突条部材であり、前記プレートが前記ローラーに載置された状態で、前記２本の突条部材であるガイド部が前記ローラーを前後方向から挟み込むように当接するとともに、
前記ローラーが、左右方向の少なくとも２本のライン上に配設されており、前記２本の突条部材であるガイド部のうち、一方のガイド部が前側に配設されたローラーの前面に当接し、他方のガイド部が後側に配設されたローラーの後面に当接することを特徴とする商品陳列台。
【請求項２】
前記ガイド部を前記プレートの裏面の左右方向の全長に亘って設けたことを特徴とする請求項１に記載の商品陳列台。
【請求項３】
前記プレートに側板を設けて横断面が略Ｌ字形となるように形成し、隣り合うプレートの前後方向の向きを反対にして、２枚のプレートに跨るように商品を載せるようにしたことを特徴とする請求項１又は請求項２に記載の商品陳列台。
【請求項４】
前記プレートの前側の全長ではなく一部分に前板を設けたことを特徴とする請求項１乃至請求項３のうちいずれか１つに記載の商品陳列台。
【発明の詳細な説明】
【技術分野】
【０００１】
本発明は、スーパーマーケット等で商品を陳列するための商品陳列台に関するものである。
【背景技術】
【０００２】
従来、スーパーマーケット等では、商品を陳列するために、図１０に示すような商品陳列台２００が使用されている。商品陳列台２００には、左右方向に台座部３００が延設されている。台座部３００は後側から前側に向かって下向きに若干傾斜しており、台座部３００の上に、パック詰めされた商品４００が多数並べられている。商品４００は、台座部３００の上に直接並べられる場合もあれば、台座部３００に載置された商品陳列用のプレートの上に並べられる場合もある。
【０００３】
ところで、スーパーマーケット等では、商品４００が肉類や魚介類等の種類毎に並べられている。例えば肉類であれば、牛肉、豚肉、鶏肉等に分かれており、更にステーキ用やすき焼き用といった調理内容によっても分かれている。また魚介類であれば、魚、イカ、タコ等に分かれており、更に刺身用や煮魚用といった調理内容によっても分かれている。
【０００４】
各店舗では毎日開店前に、こうした分類に応じて商品４００を適切な位置に並べているが、仕入する商品の種類や量は毎日変化し、特に魚介類の場合には市場からの入荷状況が不安定で当日の仕入商品の予想が困難な場合も多い。このような場合、開店前に商品を計画通りに並べることができず、いったん並べた商品の場所を移動させなければならない事態も生じる。しかし、既に並べた商品の位置を移動するのは面倒であり、特に、店舗が大型化すればするほど、商品陳列台２００の長さも長くなるため、簡単には移動することができない。そのため、新たに並べる商品が既に並べた同じ種類の商品と離れてしまったり、仕方なく既に並べた同じ種類の商品の上に重ねて並べることもある。また、開店後に特定の商品の売れ行きがよく、その商品の場所だけが空いてしまう場合もある。
【０００５】
一方、陳列した商品を移動させるものとして、特許文献１や特許文献２には、陳列台の商品を傾斜を利用して前方に移動させるようにした発明が記載されている。また特許文献３には、陳列棚を前後方向に移動させるようにした発明が記載されている。
【先行技術文献】
【特許文献】
【０００６】
【特許文献１】特開平９−３７９０４号公報
【特許文献２】特開平１１−２１６０４６号公報
【特許文献３】特開２００４−４９２５１号公報
【発明の概要】
【発明が解決しようとする課題】
【０００７】
しかしながら、既に並べた商品の位置を移動することができず、新たな商品を適切な位置に並べることができなければ、商品の位置が購買者にわかりにくくなってしまう。また既に並べた同じ商品の上に重ねて並べると、商品が傷んでしまう場合もある。また、開店後に特定の商品の売れ行きがよく、その商品の場所だけが空いてしまうと、見栄えが悪くなる。
【０００８】
また、特許文献１や特許文献２に記載された発明は、商品を取り出したら残りの商品が自動的に前に詰まるようにしたものであって、既に並べた商品を任意の位置に移動することはできない。さらに特許文献３に記載された発明は、陳列棚自体を前後に移動するものであって、商品を入れ易くすることはできるが、商品を任意の位置に並べることはできない。
【０００９】
本発明は、上記従来の課題を解決するものであり、既に並べた商品を簡単に移動可能であり、また新たな商品を任意の位置に並べることの可能な商品陳列台を提供するものである。
【課題を解決するための手段】
【００１０】
上記課題を解決するため、本発明の商品陳列台は、左右方向に延設された台座部と、前記台座部の上面に取り付けられた左右方向に転動するローラーと、前記ローラーに載置されて左右方向に移動する商品陳列用の複数のプレートとを備え、前記プレートの裏面に、前記プレートの前記ローラーに対する前後方向の移動を規制するためのガイド部を設けた商品陳列台であって、前記ガイド部は、前記プレートの裏面の左右方向に設けられた２本の突条部材であり、前記プレートが前記ローラーに載置された状態で、前記２本の突条部材であるガイド部が前記ローラーを前後方向から挟み込むように当接するとともに、前記ローラーが、左右方向の少なくとも２本のライン上に配設されており、前記２本の突条部材であるガイド部のうち、一方のガイド部が前側に配設されたローラーの前面に当接し、他方のガイド部が後側に配設されたローラーの後面に当接することを特徴とする。
【００１１】
また好ましくは、前記ガイド部を前記プレートの裏面の左右方向の全長に亘って設けたことを特徴とする。
【００１３】
また好ましくは、前記プレートに側板を設けて横断面が略Ｌ字形となるように形成し、隣り合うプレートの前後方向の向きを反対にして、２枚のプレートに跨るように商品を載せるようにしたことを特徴とする。
【００１４】
また好ましくは、前記プレートの前側の全長ではなく一部分に前板を設けたことを特徴とする。
【発明の効果】
【００１５】
本発明によれば、左右方向に延設された台座部の上面に左右方向に転動するローラーを取り付けて、その上に商品陳列用の複数のプレートを載置して左右方向に移動するようにしたので、任意のプレートの位置を自由に移動させることができる。従って、既に商品を並べたプレートであっても簡単に移動可能であり、また新たな商品並べる場合にも、既に商品を並べたプレートを移動させた後、新しいプレートを任意の位置に置いて商品を並べることができる。
【００１６】
また、プレートの裏面にガイド部を設けて、プレートのローラーに対する前後方向の移動を規制するようにしたので、ローラー上のプレートを移動させる場合に、プレートが前後方向に動くことがなく、安定的に移動させることができる。
【００１７】
また、ローラーを左右方向の少なくとも２本のライン上に配設したので、プレートを安定的に支持することができる。
【００１８】
また、プレートに側板を設けたので、陳列した商品がプレートから横にはみ出すのを防止することができる。
【００１９】
また、プレートに前板を設けたので、陳列した商品がプレートから前にはみ出すのを防止することができる。
【００２０】
以上、本発明によれば、既に並べた商品を簡単に移動可能であり、また新たな商品を任意の位置に並べることの可能な商品陳列台を提供することができる。
【図面の簡単な説明】
【００２１】
【図１】本発明の実施形態に係る商品陳列台を示す平面図である。
【図２】商品陳列台の台座部を示す平面図である。
【図３】商品陳列台のプレートを示す（ａ）平面図、（ｂ）底面図である。
【図４】商品陳列台のプレートを示す（ａ）右側面図、（ｂ）左側面図である。
【図５】商品陳列台のプレートを示す（ａ）正面図、（ｂ）背面図である。
【図６】図１のＡ−Ａ拡大断面図である。
【図７】図６のＢ−Ｂ断面図である。
【図８】図６のＣ−Ｃ断面図である。
【図９】商品陳列台の使用方法を示す平面図である。
【図１０】従来例に係る商品陳列台を示す斜視図である。
【発明を実施するための形態】
【００２２】
次に、図１乃至図８を参照して、本発明の実施形態に係る商品陳列台について説明する。図１は、本実施形態に係る商品陳列台１００を示す平面図である。なお、商品陳列台１００の全体像は、図１０に示す従来例に係る商品陳列台２００とほぼ同様であり、図１の平面図は、商品陳列台１００の左右方向の一部を示したものである。図１に示すように、商品陳列台１００は主として、台座部１０、ローラー２０、及び複数のプレート３０から構成されている。なお、本実施形態において、左右方向とは図１における左右方向であり、前後方向とは図１における下側を前側とし上側を後側とした方向である。
【００２３】
次に、図２を参照して、台座部１０とローラー２０について説明する。図２は、商品陳列台１００の台座部１０を示す平面図であり、図１に示す状態からプレート３０を取り除いたものである。
【００２４】
台座部１０は、左右方向に延設されており、その上面は平坦である。台座部１０は、水平であってもよいし、後側から前側に向かって下向きに若干傾斜していてもよい。
【００２５】
台座部１０の上面には、左右方向に転動するローラー２０が取り付けられている。ローラー２０は、台座１０の左右方向に沿って、前側から後側の順に、ローラー２０ａ、ローラー２０ｂ、ローラー２０ｃが３本のライン上に配設されることにより構成されている。ローラー２０ａ、ローラー２０ｂ、ローラー２０ｃは、前後方向にバランスよく配設されており、載置されるプレート３０を安定的に支持するようになっている。ローラー２０のラインの本数は、台座部１０の前後方向の長さを考慮して適宜決定することができる。
【００２６】
なお、ローラー２０として前後方向に幅広のものを１本のライン上に設けてもよい。ただし、ローラー２０が前後方向に幅広すぎると、ローラー２０とプレート３０の摩擦力が大きくなってスムーズな移動が困難になることや、コスト面からも不利となる。従って、左右方向の少なくとも２本のライン上に配設することで、バランスをとりながら、摩擦力を低減し、コストを抑制することが好ましい。
【００２７】
次に、図３乃至図５を参照して、ローラー２０に載置されるプレート３０について説明する。図３はプレート３０を示す（ａ）平面図、（ｂ）底面図であり、図４はプレート３０を示す（ａ）右側面図、（ｂ）左側面図であり、図５はプレート３０を示す（ａ）正面図、（ｂ）背面図である。
【００２８】
プレート３０は、主として底板３１、側板３２、及び前板３３から構成されている。底板３１は矩形状の平板であり、前後方向の長さが、台座部１０の前後方向の長さとほぼ等しくなっている。なお、底板３１の左右方向の長さは、陳列する商品のパックの大きさに合わせて適宜決定することができる。また、本実施形態では、プレート３０の大きさをすべて等しくしたが、様々な大きさのプレートを用意してもよい。また、底板３１の裏面には、アクリル成分を含有したラッカースプレーを塗布するなどして、ローラー２０との摩擦力を低減することが好ましい。
【００２９】
底板３１の左辺には、側板３２が設けられている。側板３２は、陳列した商品がプレート３０から横にはみ出すのを防止するためのものである。また、側板３２の上側の片方の角には切欠部が形成されており、商品が取り出し易くなっている。底板３１と側板３２により、プレート３０は、横断面が略Ｌ字形となるように形成されている。なお、側板３２は必ずしも必要ではないが、商品の安定的な陳列のためには、設けることが好ましい。
【００３０】
底板３１の前側には、前板３３が設けられている。前板３３は、陳列した商品がプレート３０から前にはみ出すのを防止するためのものであり、特に台座部１０が後側から前側に向かって下向きに若干傾斜している場合に効果的である。前板３３は、プレート３０の前側の全長ではなく、一部分に設けられており、商品が取り出し易くなっている。なお、前板３３は必ずしも必要ではないが、商品の安定的な陳列のためには、設けることが好ましい。
【００３１】
底板３１の裏面には、ガイド部３４，３５が設けられている。ガイド部３４，３５は底板３１の裏面の左右方向に取り付けられた、断面四角形の突条部材である。ガイド部３４，３５は、後述するようにローラー２０に当接して、プレート３０のローラー２０に対する前後方向の移動を規制するためのものである。
【００３２】
ガイド部の断面形状は、三角形やかまぼこ型など、様々な形状とすることができる。また、本実施形態においては、ガイド部をプレート３０の左右方向の全長に亘って設けたが、プレート３０のローラー２０に対する前後方向の移動を規制することができれば、全長よりも短い範囲に設けてもよい。なお、ガイド部は必ずしも必要ではないが、プレートを安定的に移動させるためには、設けることが好ましい。
【００３３】
次に、図６乃至図８を参照して、プレート３０が台座１０のローラー２０に載置された状態について説明する。図６は図１のＡ−Ａ拡大断面図であり、図７は図６のＢ−Ｂ断面図であり、図８は図６のＣ−Ｃ断面図である。
【００３４】
図６に示すように、プレート３０は、ローラー２０ａ、ローラー２０ｂ、ローラー２０ｃに載置されている。このとき、プレート３０の裏面に設けられたガイド部３４はローラー２０ａの前面（図６における左側）に当接しており、ガイド部３５はローラー２０ｃの後面（図６における右側）に当接している。そして、ガイド部３４とガイド部３５により、ローラー２０ａとローラー２０ｃを挟み込むようになっている。これにより、プレート３０はローラー２０に対して、前後方向（図６における左右方向）の移動を規制される。すなわち、プレート３０が前後方向にずれることはない。なお、台座部１０の前端部（図６の左側）と後端部（図６の右側）は中央部分よりも低くなっており、ガイド部３４，３５が通過するための段差が設けられている。
【００３５】
また、図７及び図８に示すように、プレート３０の底板３１は隣り合うプレート３０の側板３２と当接しており、任意のプレート３０を移動させると、隣り合うプレート３０も同じだけ移動するようになっている。なお、本実施形態では、がイド部３４も隣り合うプレート３０のガイド部３４と当接しているので、ガイド部３４を介しても力が伝わるようになっている（ガイド部３５も同様）。また、商品パックが大きい場合には、隣り合うプレート３０の前後方向の向きを反対にして、２枚のプレートに跨るように商品を載せてもよい。
【００３６】
次に、図９を参照して、商品陳列台１００の使用方法の一例について説明する。図９は商品陳列台１００の使用方法を示す平面図である。
【００３７】
複数のプレート３０がローラー２０に載置されている状態で、特定の場所に新たな商品を置きたい場合を想定する。その場合、まず図９の矢印Ｘに示すように、商品を置きたい場所にある隣り合う２枚のプレート３０を左右に移動させる。そうすると、２枚のプレート３０はローラー２０の上を移動しながら、周りのプレート３０を次々に押し出す。そうすると、台座部１０の上面に隙間が生じるので、図９の矢印Ｙに示すように、新たなプレート４０をその隙間に挿入する。そして、新たなプレート４０の上に新たな商品を置けばよい。
【００３８】
また、開店後に特定の商品の売れ行きがよく、その商品の場所だけが空いてしまって見栄えが悪ければ、その隙間を埋めるようにプレート３０を移動させればよい。
【００３９】
なお、プレート３０が台座部１０の左右方向に一杯に詰まった状態では移動ができないため、プレート３０はある程度余裕を持って（隙間を空けて）載置しておくことが好ましい。
【００４０】
本実施形態に係る商品陳列台１００によれば、左右方向に延設された台座部１０の上面に左右方向に転動するローラー２０を取り付けて、その上に商品陳列用の複数のプレート３０を載置して左右方向に移動するようにしたので、任意のプレート３０の位置を自由に移動させることができる。従って、既に商品を並べたプレート３０であっても簡単に移動可能であり、また新たな商品を並べる場合にも、既に商品を並べたプレート３０を移動させた後、新しいプレート４０を任意の位置に置いて商品を並べることができる。
【００４１】
また、プレート３０の裏面にガイド部３４，３５を設けて、プレート３０のローラー２０に対する前後方向の移動を規制するようにしたので、ローラー２０上のプレート３０を移動させる場合に、プレート３０が前後方向に動くことがなく、安定的に移動させることができる。
【００４２】
また、ローラー２０を左右方向の少なくとも２本のライン上に配設したので、プレート３０を安定的に支持することができる。
【００４３】
また、プレート３０に側板３２を設けたので、陳列した商品がプレート３０から横にはみ出すのを防止することができる。
【００４４】
また、プレート３０に前板３３を設けたので、陳列した商品がプレート３０から前にはみ出すのを防止することができる。
【００４５】
以上、本実施形態に係る商品陳列台１００によれば、既に並べた商品を簡単に移動可能であり、また新たな商品を任意の位置に並べることの可能な商品陳列台を提供することができる。
【符号の説明】
【００４６】
１０  台座部
２０  ローラー
３０  プレート
３１  底板
３２  側板
３３  前板
３４  ガイド部
３５  ガイド部
４０  プレート
１００  商品陳列台
２００  商品陳列台
３００  台座部
４００  商品
【要約】
【課題】既に並べた商品を簡単に移動可能であり、また新たな商品を任意の位置に並べることの可能な商品陳列台を提供する。
【解決手段】左右方向に延設された台座部１０と、台座部１０の上面に取り付けられた左右方向に転動するローラー２０と、ローラー２０に載置されて左右方向に移動する商品陳列用の複数のプレート３０とを備えた商品陳列台１００である。プレート３０の裏面には、プレート３０のローラー２０に対する前後方向の移動を規制するためのガイド部３４，３５が設けられている。ローラー２０は、左右方向の少なくとも２本のライン上に配設されている。プレート３０には、側板３２と前板３３が設けられている。
【選択図】図１【図１】
0005165129.tif 000002
【図２】
0005165129.tif 000003
【図３】
0005165129.tif 000004
【図４】
0005165129.tif 000005
【図５】
0005165129.tif 000006
【図６】
0005165129.tif 000007
【図７】
0005165129.tif 000008
【図８】
0005165129.tif 000009
【図９】
0005165129.tif 000010
【図１０】
0005165129.tif 000011